【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】
複数の通信装置で構成され、送信データを所定の単位毎に分割してデータ伝送を行なう無線通信システムであって、
情報送信元の通信装置は、各送信データにプリアンブル信号を挿入したデータ・パケットを構築して送信し、
現在通信中でない通信装置は、プリアンブル信号を検出してから所定の時間にわたり伝送路が利用されていることを認識する、
ことを特徴とする無線通信システム。
【請求項２】
前記所定の時間は所定の単位時間毎に分割されたデータの伝送時間に相当する時間である、
ことを特徴とする請求項１に記載の無線通信システム。
【請求項３】
複数の通信装置で構成される無線ネットワーク内で動作する無線通信装置であって、
送信データを所定の単位毎に分割するバッファ手段と、
分割したデータに所定のプリアンブル信号を付加して送信パケットを構築する送信データ処理手段と、
伝送路上のプリアンブル信号を検出するプリアンブル検出手段と、
前記プリアンブル検出手段において所定の時間にわたりプリアンブル信号が検出されなかった場合に、構築されたパケットを送信する送信手段と、
を具備することを特徴とする無線通信装置。
【請求項４】
前記所定の時間は所定の単位時間毎に分割されたデータの伝送時間に相当する時間である、
ことを特徴とする請求項３に記載の無線通信装置。
【請求項５】
プリアンブル信号を検出したことに応答して、該プリアンブル信号に付加されている信号を受信する受信手段と、
前記受信手段により受信された情報を解析する受信データ処理手段と、
をさらに備えることを特徴とする請求項３に記載の無線通信装置。
【請求項６】
前記受信データ処理手段は、自己宛てのデータを正しく受信できたことに応答してＡＣＫ情報を生成し、あるいは自己宛てのデータを正しく受信できなかったことに応答してＮＡＣＫ情報を生成し、
前記送信データ処理手段は、プリアンブル信号を挿入したＡＣＫ又はＮＡＣＫパケットを構築し、
前記送信手段は、データの受信直後に、ＡＣＫ又はＮＡＣＫパケットを送信する、
ことを特徴とする請求項５に記載の無線通信装置。
【請求項７】
現在通信中でないときに、前記受信データ処理手段は、ＮＡＣＫパケットを検出してから次のＡＣＫパケットを検出するまでの期間は伝送路がデータ再送に利用されていることを認識する、
ことを特徴とする請求項６に記載の無線通信装置。
【請求項８】
前記送信データ処理手段は、優先的に送信を許可する通信装置に関する情報を記載したビーコン信号を生成し、
前記受信データ処理手段は、ビーコン信号を解析して自己の送信が優先的に許可されているか否かを解析する、
ことを特徴とする請求項５に記載の無線通信装置。
【請求項９】
現在通信中でないときに、前記受信データ処理手段は、ビーコン信号を受信してからパケット長相当時間は伝送路が利用されていることを認識する、
ことを特徴とする請求項８に記載の無線通信装置。
【請求項１０】
前記送信データ処理手段は、データ送信先に対する送信要求（ＲＴＳ）パケットを生成し、
又は、前記受信処理手段が他の通信装置からの送信要求（ＲＴＳ）パケットを受信したことに応答して、前記送信データ処理手段は、確認通知（ＣＴＳ）パケットを生成する、
ことを特徴とする請求項５に記載の無線通信装置。
【請求項１１】
前記送信データ処理手段は、後続の送信データがある場合には、データ・パケット内に次のデータ・パケット送信のための送信要求（ＲＴＳ）の要素を含める、
ことを特徴とする請求項１０に記載の無線通信装置。
【請求項１２】
前記送信データ処理手段は、受信したデータ・パケットに対するＡＣＫ又はＮＡＣＫパケットに確認通知（ＣＴＳ）の要素を含める、
ことを特徴とする請求項１０に記載の無線通信装置。
【請求項１３】
現在通信中でないときに、前記受信データ処理手段は、確認通知（ＣＴＳ）パケットを受信してから所定の時間が経過するまでの間にＮＡＣＫパケットを検出してから次のＡＣＫパケットを検出するまでの期間は伝送路が利用されていることを認識する、
ことを特徴とする請求項６又は１２に記載の無線通信装置。
【請求項１４】
前記受信データ処理手段は、ＮＡＣＫパケットを受信してから所定の時間が経過するまでの間にＡＣＫパケットを検出することができなかった場合には、伝送路の利用が終了したことを認識する、
ことを特徴とする請求項６又は１２に記載の無線通信装置。
【請求項１５】
複数の通信装置で構成される無線ネットワーク内における無線通信方法であって、
送信データを所定の単位毎に分割するバッファリング・ステップと、
分割したデータに所定のプリアンブル信号を付加して送信パケットを構築する送信データ処理ステップと、
伝送路上のプリアンブル信号を検出するプリアンブル検出ステップと、
前記プリアンブル検出ステップにおいて所定の時間にわたりプリアンブル信号が検出されなかった場合に、構築されたパケットを送信する送信ステップと、
を具備することを特徴とする無線通信方法。
【請求項１６】
複数の通信装置で構成される無線ネットワーク内における無線通信処理をコンピュータ・システム上で実行するようにコンピュータ可読形式で記述されたコンピュータ・プログラムであって、前記コンピュータ・システムに対し、
送信データを所定の単位毎に分割するバッファリング手順と、
分割したデータに所定のプリアンブル信号を付加して送信パケットを構築する送信データ処理手順と、
伝送路上のプリアンブル信号を検出するプリアンブル検出手順と、
前記プリアンブル検出手順において所定の時間にわたりプリアンブル信号が検出されなかった場合に、構築されたパケットを送信する送信手順と、
プリアンブル信号を検出したことに応答して、該プリアンブル信号に付加されている信号を受信する受信手順と、
前記受信手順により受信された情報を解析する受信データ処理手順と、
を実行させることを特徴とするコンピュータ・プログラム。
【手続補正２】
【補正対象書類名】明細書
【補正対象項目名】０１２１
【補正方法】変更
【補正の内容】
【０１２１】
Ｄａｔａヘッダが含まれている場合には、そのデータの情報長に相当する時間をアクセス・タイマに設定し（ステップＳ４１）、タイムアウトするまでの期間は伝送路が利用されているものと認識して、送信動作を行なわないように制御する。他方、Ｄａｔａヘッダが含まれていなければ、次に送られてくるであろうＤａｔａヘッダのタイミングまでの時間をアクセス・タイマに設定する（ステップＳ４０）。
【手続補正３】
【補正対象書類名】明細書
【補正対象項目名】０１２５
【補正方法】変更
【補正の内容】
【０１２５】
さもなくば、ＡＣＫヘッダを受信した場合には（ステップＳ３８）、引き続きＣＴＳヘッダが含まれているかどうかを判断する（ステップＳ３９）。ＣＴＳヘッダが含まれている場合には、そのデータの情報長に相当する時間をアクセス・タイマに設定し（ステップＳ４１）、タイムアウトするまでの期間は連続したデータ伝送のために伝送路が利用されているものと認識して、送信動作を行なわないように制御する。他方、ＣＴＳヘッダが含まれていなければ、ＡＣＫの対象となっていたアクセス・タイマの設定を解除する（ステップＳ４２）。
【手続補正４】
【補正対象書類名】図面
【補正対象項目名】図１５
【補正方法】変更
【補正の内容】
【図１５】
2004221681.tif 000001